(57)【要約】【課題】Ｅ−ＤＣＨにデータが流れていない場合での上り送信のスループット低下を防止してＥ−ＤＣＨ全体の高スループット化を図ること。【解決手段】無線基地局１００は、報告条件設定部１０１が生成した移動機にＥ−ＤＣＨ接続を行っている無線基地局に対する受信品質情報を報告させる報告条件情報を送信し、受信信号から報告情報抽出部１０６が受信品質情報とＥ−ＤＣＨ接続を行っている無線基地局との組合せを抽出し、その抽出した受信品質情報に基づき組合せ決定部１０７がＥ−ＤＣＨ接続を行う機能を有する各無線基地局のＥ−ＤＣＨ接続の可否及びＥ−ＤＣＨ接続を行う無線基地局毎の制御方式を決定する。これによって、Ｅ−ＤＣＨにデータが流れていない場合でも即座に移動機とＥ−ＤＣＨ接続を行う無線基地局の組合せを決定することができ、上り送信のスループット低下を防止できる。【選択図】図１
2007158835.tif 000002
【特許請求の範囲】
【請求項１】
移動機と各無線基地局との間の上り回線に上り送信専用高速チャネルであるＥ−ＤＣＨ（Enhanced Dedicated Channel）を採用する移動通信システムの無線基地局であって、
前記移動機に、Ｅ−ＤＣＨ接続を行っている無線基地局に対して受信品質を示す情報を報告させる条件を設定する報告条件設定手段と、
前記報告条件設定手段が設定した条件を示す報告条件情報を前記移動機に送信する送信手段と、
前記移動機から送信された受信品質を示す情報に基づいて無線基地局毎のＥ−ＤＣＨ制御方式を決定する組み合わせ決定手段と、
前記組み合わせ決定手段の決定に従って、無線資源直接制御あるいは無線資源間接制御のいずれかを実行する制御手段と、を具備する無線基地局。
【請求項２】
前記組合せ決定手段は、無線基地局を受信品質の良い順に並べ、受信品質が最も良い無線基地局に無線資源直接制御方式を設定し、それ以外の無線基地局のうち、システムで設定されている受信品質を満たしている一定数までの無線基地局に無線資源間接制御方式を設定し、残りの無線基地局には、どちらの制御方式も設定せず、Ｅ−ＤＣＨ接続を切断する請求項１に記載の無線基地局。
【請求項３】
前記組み合わせ決定手段は、決定結果を他の無線基地局に送出する請求項１又は請求項２に記載の無線基地局。
【請求項４】
請求項１から請求項３のいずれかに記載の無線基地局から受信した報告条件情報の条件に従って、受信品質を測定する測定手段と、
前記測定手段が測定した受信品質と報告基準とを比較する比較手段と、
前記測定結果が報告基準を満たした場合に前記受信品質を示す情報を作成する報告情報作成手段と、
前記報告情報作成手段が作成した情報を前記無線基地局に送信する送信手段と、を具備する移動機。
【請求項５】
請求項１から請求項３のいずれかに記載の無線基地局と請求項４記載の移動機とを有する移動通信システム。
【請求項６】
Ｅ−ＤＣＨ接続を行う能力を有する複数の無線基地局の中で特定の無線基地局が前記制御手段を装備している請求項５記載の移動通信システム。
【請求項７】
各無線基地局を統括する上位装置が前記制御手段を装備している請求項５記載の移動通信システム。
【請求項８】
移動機と各無線基地局との間の上り回線に上り送信専用高速チャネルであるＥ−ＤＣＨ（Enhanced Dedicated Channel）を採用する移動通信システムにおける無線基地局の組合せ制御方法であって、
前記無線基地局において、前記移動機に、Ｅ−ＤＣＨ接続を行っている無線基地局に対して受信品質を示す情報を報告させる条件を設定する工程と、
前記無線基地局において、前記設定した条件を示す報告条件情報を前記移動機に送信する工程と、
前記移動機において、前記無線基地局から受信した報告条件情報の条件に従って、受信品質を測定する工程と、
前記移動機において、前記測定した受信品質と報告基準とを比較する工程と、
前記移動機において、前記測定結果が報告基準を満たした場合に前記受信品質を示す情報を作成する工程と、
前記移動機において、前記作成した情報を前記無線基地局に送信する工程と、
前記無線基地局において、前記移動機から送信された受信品質を示す情報に基づいて無線基地局毎のＥ−ＤＣＨ制御方式を決定する工程と、
前記無線基地局において、前記組み合わせの決定に従って、無線資源直接制御あるいは無線資源間接制御のいずれかを実行する工程と、を具備する無線基地局の組合せ制御方法。
【発明の詳細な説明】
【技術分野】
【０００１】
本発明は、上り送信専用高速チャネルを採用する移動体通信システムの無線基地局、移動機及び無線基地局の組合せ制御方法に関する。
【背景技術】
【０００２】
現在、３ＧＰＰ（3rd Generation Partnership Project）では、移動体通信システムでの上り回線のピーク伝送速度の高速化、低伝送遅延、高スループット化等を目的としたＨＳＵＰＡ（High Speed Uplink Packet Access：高速アップリンクパケットアクセス）と呼ばれる方式が検討されている（非特許文献１，２）。
【０００３】
このＨＳＵＰＡ方式では、移動機と無線基地局との間の上り回線に上り送信専用高速チャネルであるＥ−ＤＣＨ（Enhanced Dedicated Channel）を設ける。そして、各無線基地局がＥ−ＤＣＨに接続している移動機の無線資源（Radio Resource）を制御する技術は、無線伝送のスループットに大きな影響を与えるので、図３に示すような制御方法が考えられている。
【０００４】
図３は、現在考えられている移動機の無線資源を制御する技術を説明する図である。図３において、３つの無線基地局３０１，３０２，３０３は、それぞれ移動機３０４とＥ−ＤＣＨを介して接続されている。この場合、無線基地局３０２は、移動機３０４の無線資源を直接指定して制御することが可能であり、自局の通信状況に最も適した設定を行う。他の無線基地局３０１，３０３は、上記の直接制御は行わず、移動機３０４の無線資源を現在値に維持する、現在値よりも上げるまたは下げるといった要求を通知するのみの間接制御が可能であり、自局の通信状況の改善を目指す。
【０００５】
このように、Ｅ−ＤＣＨに接続している移動機の無線資源を、直接制御する無線基地局と間接制御する無線基地局とを組み合わせて制御することで、移動機と接続しているＥ−ＤＣＨ全体の通信品質を向上させ、高スループット化を実現する方法が考えられている。
【非特許文献１】３ＧＰＰ  ＴＲ２５．８９６"Feasibility Study for Enhanced Uplink for UTRA FDD"
【非特許文献２】３ＧＰＰ  ＴＳ２５.３０９"FDD Enhanced Uplink; Overall description; Stage 2"
【発明の開示】
【発明が解決しようとする課題】
【０００６】
ところで、図４は、移動機の移動と通信品質との関係を説明する図である。図４において、移動機４０１は、Ｅ−ＤＣＨを介して、Ａ地点を配下とする無線基地局（＃１）４０２とＢ地点を配下とする無線基地局（＃２）４０３とそれぞれ接続されている。この場合に、移動機４０１と無線基地局（＃１）４０２との通信品質は、曲線４１０のように、Ａ地点では良好で、Ｂ地点に近づくのに伴い劣化していく。また、移動機４０１と無線基地局（＃２）４０３との通信品質は、曲線４１１のように、Ｂ地点では良好で、Ａ地点に近づくのに伴い劣化していく。
【０００７】
このような状況下で移動機４０１がＡ地点からＢ地点に移動すると、Ｅ−ＤＣＨを介して接続している無線基地局（＃１）４０２及び無線基地局（＃２）４０３と移動機４０１間の通信品質は、無線基地局（＃１）４０２側では下がり、無線基地局（＃２）４０３側では上がり、Ａ地点とは逆転する。このとき、Ｅ−ＤＣＨにデータが流れていない場合には、移動機は信号を送信せず、無線基地局では信号を受信しないため、無線基地局（＃１）４０２及び無線基地局（＃２）４０３では、通信品質の変化に気付くのが遅れる。
【０００８】
このように、上記したＥ−ＤＣＨにおける各無線基地局による無線資源制御技術では、Ｅ−ＤＣＨにデータが流れていない場合の通信品質の変化を考慮していないため、場合によっては上り送信のスループットが極端に低下するおそれがある。
【０００９】
本発明は、かかる点に鑑みてなされたものであり、Ｅ−ＤＣＨにデータが流れていない場合での上り送信のスループット低下を防止してＥ−ＤＣＨ全体の高スループット化が図れる無線基地局、移動機及び無線基地局の組合せ制御方法を提供することを目的とする。
【課題を解決するための手段】
【００１０】
かかる課題を解決するため、本発明の無線基地局は、移動機と各無線基地局との間の上り回線に上り送信専用高速チャネルであるＥ−ＤＣＨ（Enhanced Dedicated Channel）を採用する移動通信システムの無線基地局であって、前記移動機に、Ｅ−ＤＣＨ接続を行っている無線基地局に対して受信品質を示す情報を報告させる条件を設定する報告条件設定手段と、前記報告条件設定手段が設定した条件を示す報告条件情報を前記移動機に送信する送信手段と、前記移動機から送信された受信品質を示す情報に基づいて無線基地局毎のＥ−ＤＣＨ制御方式を決定する組み合わせ決定手段と、前記組み合わせ決定手段の決定に従って、無線資源直接制御あるいは無線資源間接制御のいずれかを実行する制御手段と、を具備する構成を採る。
【発明の効果】
【００１１】
本発明によれば、移動機での受信品質を考慮して移動機とＥ−ＤＣＨ接続を行う無線基地局の組合せを決定するので、Ｅ−ＤＣＨにデータが流れていない場合でも通信品質の変化に即座に対応して移動機とＥ−ＤＣＨ接続を行う無線基地局の組合せを決定することができ、上り送信のスループット低下を防ぐことができる。
【発明を実施するための最良の形態】
【００１２】
以下、本発明の実施の形態について図面を参照して詳細に説明する。
【００１３】
（実施の形態）
図１は、本発明の一実施の形態に係る無線基地局の構成を示すブロック図である。図１に示す無線基地局１００は、一般のＥ−ＤＣＨ接続を行う機能を有する無線基地局と同様に、図３に示した直接制御無線基地局と間接制御無線基地局の何れか一方になり得る機能の他に、そのような直接制御無線基地局と間接制御無線基地局の組合せを制御する機能を備えたいわゆる上位の無線基地局である。
【００１４】
即ち、無線基地局１００は、この２つの機能を実現すべく、報告条件設定部１０１と、報告条件情報変調・符号化部１０２と、送受信共用器１０３と、アンテナ１０４と、受信信号処理部１０５と、報告情報抽出部１０６と、組合せ決定部１０７と、制御方式切換部１０８と、無線資源直接制御部１０９と、無線資源間接制御部１１０と、制御情報生成部１１１と、制御情報変調・符号化部１１２とを備えている。なお、受信信号処理部１０５では、復調部１０５ａの他に、逆拡散部等の他の処理部も有するが、ここでは説明を簡単化するために復調部１０５ａのみが示されている。
【００１５】
次に、図２は、本発明の一実施の形態に係る移動機の構成を示すブロック図である。図２に示す移動機２００は、Ｅ−ＤＣＨ接続を行う機能を有する移動機であり、本実施の形態に関わる機能として、アンテナ２０１と、送受信共用器２０２、受信信号処理部２０３と、報告条件保存部２０４と、測定部２０５と、条件判定部２０６と、報告情報作成部２０７と、報告情報変調・符号化部２０８とを備えている。なお、受信信号処理部２０３は、復調部２０３ａの他に、逆拡散部等の他の処理部も有するが、ここでは説明を簡単化するために復調部２０３ａのみが示されている。
【００１６】
以上の構成において、無線基地局１００は、次のようにして移動機２００から、Ｅ−ＤＣＨ接続を行っている無線基地局に対する受信品質を示す情報を取得して、直接制御無線基地局と間接制御無線基地局の組合せを制御する。
【００１７】
まず、無線基地局１００では、図１において、報告条件設定部１０１は、移動機２００に、Ｅ−ＤＣＨ接続を行っている無線基地局に対して受信品質を示す情報を報告させる条件を設定し、この設定した条件を示す報告条件情報を生成し、報告条件情報変調・符号化部１０２に送出する。報告条件情報変調・符号化部１０２は、受け取った報告条件情報に変調及び符号化処理を施し、それを送受信共用器１０３及びアンテナ１０４を介して移動機２００に送信する。
【００１８】
これに対して移動機２００では、図２において、アンテナ２０１に受信された受信信号が送受信共用器２０２を介して受信信号処理部２０３に入力する。この受信信号には、報告条件情報と、Ｅ−ＤＣＨ接続を行っている無線基地局からの信号とが含まれている。
【００１９】
受信信号処理部２０３では、復調部２０３ａが受信信号に含まれている報告条件情報を復調し、報告条件保存部２０４と測定部２０５とに並列に送出する。報告条件保存部２０４は、復調された報告条件を保存し、報告条件のうち、測定対象及び測定回数を測定部２０５に設定する。
【００２０】
測定部２０５は、設定された報告条件に従って、復調部２０３で復調された測定対象の受信信号に基づき例えばＣＩＲ（Carrier to Interference Ratio：搬送波対干渉波比）等の受信品質を示す値を測定し、測定結果を条件判定部２０６に送出する。
【００２１】
条件判定部２０６は、測定部２０５から受け取った測定結果と、報告条件保存部２０４に保存されている報告基準とを比較し、報告基準を満たしたときに報告情報作成部２０７に測定結果を送出する。
【００２２】
報告情報作成部２０７は、条件判定部２０６から受け取った測定結果、すなわちＥ−ＤＣＨ接続を行っている無線基地局に対する受信品質を示す情報（以下、「報告情報」という）を作成する。この報告情報は、報告情報変調・符号化部２０８にて変調及び符号化処理が施され、送受信共用器２０２及びアンテナ２０１を介して無線基地局１００に送信される。
【００２３】
そこで、無線基地局１００では、図１において、アンテナ１０４に受信された受信信号が送受信共用器１０３を介して受信信号処理部１０５に入力する。受信信号処理部１０５では、復調部１０５ａが、移動機２００から送信されてくる報告情報を復調し、報告情報抽出部１０６と無線資源直接制御部１０９と無線資源間接制御部１１０とに並列に送出する。
【００２４】
報告情報抽出部１０６は、受け取った報告情報から、Ｅ−ＤＣＨ接続を行っている各無線基地局に対する移動機２００における受信品質を抽出し、組合せ決定部１０７に送出する。
【００２５】
組合せ決定部１０７は、各無線基地局の移動機２００に対する受信品質に基づいて、無線基地局毎のＥ−ＤＣＨ制御方式を決定し、その決定結果を自無線基地局及び他の無線基地局の制御方式切換部１０８に送出する。自無線基地局及び他の無線基地局の制御方式切換部１０８は、決定に従って無線資源直接制御部１０９と無線資源間接制御部１１０の何れか一方を起動する。
【００２６】
組合せ決定部１０７では、Ｅ−ＤＣＨ制御方式を例えば以下のように決定する。即ち、無線基地局を受信品質の良い順に並べ、受信品質が最も良い無線基地局に無線資源直接制御方式を設定し、それ以外の無線基地局のうち、システムで設定されている受信品質を満たしている一定数までの無線基地局に無線資源間接制御方式を設定する。そして、残りの無線基地局には、どちらの制御方式も設定せず、Ｅ−ＤＣＨ接続を切断する。
【００２７】
これによって、移動機２００の受信品質に基づき決定された直接制御無線基地局と間接制御無線基地局とが、移動機２００の無線資源を制御する動作に移行する。
【００２８】
即ち、直接制御無線基地局での無線資源直接制御部１０９は、制御方式切換部１０８から起動指示があると、復調部１０５ａから受け取った報告情報に基づいて、Ｅ−ＤＣＨに充てられる無線資源の上限値を算出し、制御情報生成部１１１に送出する。
【００２９】
また、間接制御無線基地局での無線資源間接制御部１１０は、制御方式切換部１０８から起動指示があると、復調部１０５ａから受け取った報告情報に基づいて、Ｅ−ＤＣＨに充てている無線資源を増やすか、維持するか、または減らすかを決定し、その情報を制御情報生成部１１１に送出する。
【００３０】
制御情報生成部１１１は、無線資源直接制御部１０９と無線資源間接制御部１１０の一方から受け取った情報を移動機２００に知らせる制御情報として生成し、制御情報変調・符号化部１１２に送出する。制御情報変調・符号化部１１２は、受け取った制御情報に対して変調及び符号化処理を施し、それを送受信共用器１０３及びアンテナ１０４を介して移動機２００に送信する。
【００３１】
このように、無線基地局１００は、移動機２００から受信品質を示す情報を取得し、この情報に基づきＥ−ＤＣＨ接続を行う機能を有する無線基地局毎のＥ−ＤＣＨ接続の可否及びＥ−ＤＣＨ接続可の無線基地局に適用する制御方式を決定する。これは、Ｅ−ＤＣＨにデータが流れていない場合でも行うことができる。つまり、Ｅ−ＤＣＨにデータが流れていない場合でも通信品質の変化に即座に対応して、移動機２００とＥ−ＤＣＨ接続を行う無線基地局の組合せを決定することができる。
【００３２】
ここで、以上の説明から理解できるように、無線基地局１００での報告条件設定部１０１、報告情報抽出部１０６及び組合せ決定部１０７は、直接制御無線基地局と間接制御無線基地局の組合せを制御する機能を実現する主要素である。移動通信システムでは、各無線基地局を統括管理する上位装置（無線ネットワーク制御装置）が設けられるが、この無線ネットワーク制御装置に、報告条件設定部１０１と報告情報抽出部１０６と組合せ決定部１０７の全部または一部（組合せ決定部１０７など）を設けても良い。
【００３３】
また、移動機２００では、無線基地局１００の要求に応じて送信する受信品質情報として、ＣＩＲを用いた場合について述べたが、その他、例えば、ＲＳＣＰ（Received Signal Code Power：受信電力）やパスロス等でも良い。
【００３４】
このように、本実施の形態によれば、移動機での受信品質を考慮して移動機とＥ−ＤＣＨ接続を行う無線基地局の組合せを決定するので、Ｅ−ＤＣＨにデータが流れていない場合でも通信品質の変化に即座に対応して移動機とＥ−ＤＣＨ接続を行う無線基地局の組合せを決定することができ、上り送信のスループット低下を防ぐことができる。その結果、Ｅ−ＤＣＨ全体の高スループット化を図ることができる。
【産業上の利用可能性】
【００３５】
本発明は、上り送信専用チャネルであるＥ−ＤＣＨを採用する移動通信システムにおいて、Ｅ−ＤＣＨ全体の高スループット化を図るのに好適である。
【図面の簡単な説明】
【００３６】
【図１】本発明の一実施の形態に係る無線基地局の構成を示すブロック図
【図２】本発明の一実施の形態に係る移動機の構成を示すブロック図
【図３】現在考えられている移動機の無線資源を制御する技術を説明する図
【図４】移動機の移動と通信品質との関係を説明する図
【符号の説明】
【００３７】
１００  無線基地局
１０１  報告条件設定部
１０２  報告条件情報変調・符号化部
１０３  送受信共用器
１０４  アンテナ
１０５  受信信号処理部
１０５ａ  復調部
１０６  報告情報抽出部
１０７  組合せ決定部
１０８  制御方式切換部
１０９  無線資源直接制御部
１１０  無線資源間接制御部
１１１  制御情報生成部
１１２  制御情報変調・符号化部
２００  移動機
２０１  アンテナ
２０２  送受信共用器
２０３  受信信号処理部
２０３ａ  復調部
２０４  報告条件保存部
２０５  測定部
２０６  条件判定部
２０７  報告情報作成部
２０８  報告情報変調・符号化部
【図１】
2007158835.tif 000003
【図２】
2007158835.tif 000004
【図３】
2007158835.tif 000005
【図４】
2007158835.tif 000006